(57)【特許請求の範囲】
【請求項１】
洗浄機本体に対して上下移動可能なカバーを備え、前記カバーが最下位置にあるときに前記洗浄機本体の洗浄室が閉鎖され、前記カバーをスプリングの付勢力により上昇させて前記洗浄室が開放されるようにした食器洗浄機であって、
前記カバー側に設けられ、前記カバーの外側に略水平に突出するロックピンと、
前記洗浄機本体側に設けられ、前記カバーが前記最下位置にあるときに前記ロックピンに係合し当該ロックピンの上昇を阻止するラッチレバーと、を備え、
前記ラッチレバーは、
前記ロックピンの突出方向に直交する面内で所定の回動軸周りに回動可能であると共に、
前記回動軸の上方の位置で前記ロックピンに嵌合する嵌合溝と、前記嵌合溝に嵌合する前記ロックピンへの係合を解除する動作時に前記ロックピンを上方に跳ね上げる跳上部と、を有しており、
前記ラッチレバーは、前記嵌合溝を前記ロックピンに嵌合させることで前記ロックピンの上昇を阻止すると共に、前記回動軸周りの回動により前記ロックピンを前記嵌合溝から開放して前記ロックピンの上昇を許容し、
前記跳上部は、前記嵌合溝の下方かつ前記回動軸の上方において前記嵌合溝の底から離れる方向に延びており、前記回動軸周りの回動時には、前記跳上部の上縁で前記ロックピンを上方に押し上げることにより、前記スプリングの付勢力によって上昇する前記カバーの上昇力を補うことを特徴とする食器洗浄機。
【請求項２】
前記跳上部の上縁は、
前記嵌合溝の下側の内壁面に連続して当該嵌合溝の底から離れる方向に略水平面として延在していることを特徴とする請求項１に記載の食器洗浄機。
【請求項３】
前記跳上部の上縁は、
前記嵌合溝の底から離れるほど高くなるように傾斜していることを特徴とする請求項１に記載の食器洗浄機。
【発明の詳細な説明】
【技術分野】
【０００１】
本発明は、食器洗浄機に関するものである。
【背景技術】
【０００２】
従来、このような分野の技術として、下記特許文献１に記載の食器洗浄機が知られている。この食器洗浄機は、上下移動可能なカバーで洗浄室を開閉するタイプのものであり、カバーが最下位置にあるときに洗浄室が閉鎖され、カバーを上方に移動させることで洗浄室が開放される。カバーの上方への移動は、スプリングの引張力によるものであり、洗浄室を閉鎖する場合には、上記スプリングの引張力に抗して手動でカバーを引き下ろし、電磁ロック機構によってカバーを最下位置で係止することになる。そして、電磁ロック機構でカバーの係止を解除することにより、上記スプリングの引張力でカバーが自動的に上昇することになる。
【先行技術文献】
【特許文献】
【０００３】
【特許文献１】実用新案登録第２６０５２１２号公報
【発明の概要】
【発明が解決しようとする課題】
【０００４】
しかしながら、このような食器洗浄機では、最下位置で停止したカバーの上昇を開始させるために、ある程度スプリングの荷重設定を強くする必要がある。ところが、スプリングの荷重設定によっては、カバーの上昇スピードが速くなり、カバーが最上位置に到達したときの騒音や振動の原因となってしまう。特許文献１では、カバーの上昇時に制動を加える制動機構によりカバーの上昇スピードを抑える旨提案されているが、騒音や振動の抑制は十分とは言えなかった。
【０００５】
そこで、本発明は、洗浄室を開放する際における騒音や振動を十分抑えることができる食器洗浄機を提供することを目的とする。
【課題を解決するための手段】
【０００６】
本発明の食器洗浄機は、洗浄機本体に対して上下移動可能なカバーを備え、カバーが最下位置にあるときに洗浄機本体の洗浄室が閉鎖され、カバーをスプリングの付勢力により上昇させて洗浄室が開放されるようにした食器洗浄機であって、カバー側に設けられ、カバーの外側に略水平に突出するロックピンと、洗浄機本体側に設けられ、カバーが最下位置にあるときにロックピンに係合し当該ロックピンの上昇を阻止するラッチレバーと、を備え、ラッチレバーは、ロックピンの突出方向に直交する面内で所定の回動軸周りに回動可能であると共に、回動軸の上方の位置でロックピンに嵌合する嵌合溝と、嵌合溝に嵌合するロックピンへの係合を解除する動作時にロックピンを上方に跳ね上げる跳上部と、を有しており、ラッチレバーは、嵌合溝をロックピンに嵌合させることでロックピンの上昇を阻止すると共に、回動軸周りの回動によりロックピンを嵌合溝から開放してロックピンの上昇を許容し、跳上部は、嵌合溝の下方かつ回動軸の上方において嵌合溝の底から離れる方向に延びており、回動軸周りの回動時には、跳上部の上縁でロックピンを上方に押し上げることにより、スプリングの付勢力によって上昇するカバーの上昇力を補うことを特徴とする。
【０００７】
この食器洗浄機によれば、洗浄室が閉鎖された状態では、カバー側に設けられたロックピンと洗浄機本体側に設けられたラッチレバーとが係合してロックピンの上昇が阻止され、最下位置でカバーの上昇が阻止される。そして、洗浄室を開放する場合には、ラッチレバーが動作してロックピンへの係合が解除されることでロックピンの上昇が許容され、スプリングの付勢力により自動的にカバーが上昇する。ここで、最下位置で停止していたカバーの上昇を開始させるためには、カバーの上昇継続中に比べて更に大きい力が必要であるので、本来であれば、スプリングの荷重設定をある程度大きくする必要がある。ところが、この食器洗浄機によれば、上記のラッチレバーの動作時において、跳上部が、停止していたロックピンを上方に跳ね上げる。よって、カバーの上昇力が跳上部によって補われることになり、スプリングの荷重設定を小さく抑えたとしても、カバーの上昇開始が可能になる。従って、スプリングの荷重設定を抑えることで、カバーの上昇スピードを抑えることができ、その結果、洗浄室を開放する際における騒音や振動を十分抑えることができる。
【０００８】
また、具体的には、ラッチレバーは、ロックピンの突出方向に直交する面内で所定の回動軸周りに回動可能であると共に、回動軸の上方の位置でロックピンに嵌合する嵌合溝を有しており、嵌合溝をロックピンに嵌合させることでロックピンの上昇を阻止すると共に、回動軸周りの回動によりロックピンを嵌合溝から開放してロックピンの上昇を許容し、跳上部は、嵌合溝の下方かつ回動軸の上方において嵌合溝の底から離れる方向に延びており、回動軸周りの回動時には、跳上部の上縁でロックピンを上方に押し上げる。
【０００９】
この構成によれば、ロックピンは嵌合溝に嵌合されて上昇が阻止される。またラッチレバーが回動することでロックピンが嵌合溝から開放され、ロックピンの上昇が許容される。跳上部は、嵌合溝の下方かつ回動軸の上方で嵌合溝の底から離れる方向に延びているので、ラッチレバーの回動によって跳上部の上縁は上方に移動することになる。従って、ラッチレバーの回動により、ロックピンが嵌合溝から開放されるときに、跳上部の上縁でロックピンを上方に押し上げることができる。
【００１０】
また、跳上部の上縁は、嵌合溝の下側の内壁面に連続して当該嵌合溝の底から離れる方向に略水平面として延在していることとしてもよい。また、跳上部の上縁は、嵌合溝の底から離れるほど高くなるように傾斜していることとしてもよい。跳上部の上縁を上記のように傾斜させれば、ラッチレバーの回動に伴うロックピンの跳ね上げ量が大きくなり、カバーの上昇力を大きく補うことができる。
【発明の効果】
【００１１】
本発明の食器洗浄機によれば、洗浄室を開放する際における騒音や振動を十分抑えることができる。
【図面の簡単な説明】
【００１２】
【図１】本発明に係る食器洗浄機の一実施形態を前面側から見た一部破断斜視図である。
【図２】図１の食器洗浄機を背面側から見た斜視図である。
【図３】図２の食器洗浄機の電磁ロック装置を示す斜視図である。
【図４】図３の電磁ロック装置とカバーのロックピンとの関係を示す背面図である。
【図５】図３の電磁ロック装置のラッチレバーの動作とロックピンとの関係を示す背面図である。
【図６】図３の電磁ロック装置に適用可能な他のラッチレバーの例を示す背面図である。
【図７】図６のラッチレバーの動作とロックピンとの関係を示す背面図である。
【図８】ソレノイドを備える電磁ロック装置を示す側面図である。
【図９】（ａ）は、図１の食器洗浄機においてカバーが最下位置にある状態、（ｂ）は、カバーが最上位置にある状態を示す背面図である。
【図１０】制動装置を拡大して示す斜視図である。
【図１１】図１０の制動装置のレバーと可動ロッドとの関係を示す平面図である。
【図１２】可動ロッドを示す背面図である。
【図１３】可動ロッドの他の例を示す背面図である。
【発明を実施するための形態】
【００１３】
以下、図面を参照しつつ本発明に係る食器洗浄機の好適な実施形態について詳細に説明する。
【００１４】
図１及び図２に示す食器洗浄機１は、上面に開口部を設けて一定深さの洗浄槽３を形成した洗浄機本体５を備えている。また、上記開口部の背面側の開口縁に案内板７が立設されている。この洗浄機本体５には、下面と背面とを開口した箱型のカバー９が取り付けられている。カバー９の左右の側面の背面側の縁部に縦溝が形成され、洗浄機本体５の案内板７の左右の側縁に軸支したガイドローラが上記縦溝に嵌められることで、カバー９は洗浄機本体５に対して鉛直に上下動可能とされている。
【００１５】
カバー９によって洗浄機本体５の上面の開口部を覆うことにより、カバー９に囲まれた洗浄室１１が洗浄機本体５に形成されるようになっている。カバー９が最下位置にあるときに、洗浄機本体５の上面の開口部をカバー９が完全に覆い、洗浄室１１が閉鎖される。また、カバー９を上昇させることにより洗浄室１１が開放され、洗浄室１１への食器の出し入れが可能となる。この洗浄室１１内の上部及び下部の位置には、それぞれ洗浄ノズル１３とすすぎノズル１５とが配設されている。また、上下のノズルの間に、食器収納用ラックを載置可能なラック受台１７が装備されている。
【００１６】
カバー９の開閉機構は次のとおりである。洗浄機本体５の案内板７の内面上部側に、コ字形に曲成されたアーム１９の基部の両端がブラケット２１を介して回動自由に支持されている。このアーム１９の両方の屈曲端が、カバー９の左右の内壁に設けられた連結部２３にリンク２７を介して連結されている。また、アーム１９の基部の両端から背面側に一体に突設された係止部材２９と洗浄機本体５との間に一対の引張コイルスプリング３１が装着されて、アーム１９に上方への回動力が与えられている。
【００１７】
カバー９の背面の上部には、外側に略水平方向に突出するロックピン３３が設けられている。一方、洗浄機本体５の案内板７の背面上縁部には、図３及び図４に示す電磁ロック装置３５が設けられている。なお、図３及び図４は、ともに食器洗浄機１の背面側から見た電磁ロック装置３５であり、電磁ロック装置３５の背面パネルを取り除いた状態を図示するものである。以下の説明において、「右」、「左」、「時計回り」、「反時計回り」なる語を用いる場合があるが、これは、図４に示すように、食器洗浄機１の背面側から見た場合に対応させるものとする。
【００１８】
図３及び図４に示すように、電磁ロック装置３５は、ロックピン３３の突出方向に直交する面内に延びる板状のラッチレバー３７を有している。また、ラッチレバー３７は、ロックピン３３の鉛直下方に位置する回動軸３９で回動可能に支持されており、回動軸３９を中心としてロックピン３３の突出方向に直交する面内で回動可能である。また、ラッチレバー３７は、傾斜したガイド面３７ａを上部に有すると共に、そのガイド面３７ａの下方に位置する嵌合溝３７ｂを有している。嵌合溝３７ｂは、横倒ししたＵ字状をなし略水平方向に延びている。嵌合溝３７ｂは、回動軸３９の鉛直上方に位置しており、ガイド面３７ａに接触しながら下降したロックピン３３に嵌合する。引張コイルスプリング３１の引張力によって上昇しようとするロックピン３３は、嵌合溝３７ｂに嵌合することで、嵌合溝３７ｂの上側の内壁面３７ｅに下方から当たることになり、ロックピン３３の上昇が阻止される。すなわち、嵌合溝３７ｂの上側の内壁面３７ｅは、ロックピン３３を引っ掛けるフック部の機能を果たす。
【００１９】
ラッチレバー３７は、付勢スプリング４１の引張力による時計回りの回動力を受けている。更に、ラッチレバー３７の一端がストッパ３６に当たることで、当該ラッチレバー３７の姿勢が一定に保持される。また、ラッチレバー３７の他端には、ワイヤー４３がリンク４５を介して連結されている。ワイヤー４３の他端は、フレームの中を通過して、洗浄機本体５の機械室内に設置されたソレノイド４７に連結されている（図９（ａ）参照）。ソレノイド４７の駆動によりワイヤー４３が引っ張られると、ラッチレバー３７は、付勢スプリング４１の引張力に抗して反時計回りに回動する。
【００２０】
開閉機構の上記の構成に基づき、洗浄室１１を閉める場合は、ユーザが手動でカバー９前面の取手５１（図１参照）を持ち、引き下げる。そうすると、引張コイルスプリング３１の引張力に抗してアーム１９が下方に回動しカバー９が下降する。そして、カバー９が最下位置に近づくと、ロックピン３３が、ラッチレバー３７のガイド面３７ａに当たり付勢スプリング４１の弾力に抗して反時計回りにラッチレバー３７を回動させつつ下降する。そして、ロックピン３３が、嵌合溝３７ｂに対応する高さに到達したところで、ラッチレバー３７が回動復帰して嵌合溝３７ｂにロックピン３３が嵌まる。これにより、ロックピン３３の上昇が阻止され、カバー９が最下位置に固定されて洗浄室１１が閉鎖される。
【００２１】
一方、洗浄室１１を開ける場合は、引張コイルスプリング３１の付勢力を利用して、自動的にカバー９を上昇させることができる。すなわち、ソレノイド４７（図９（ａ）参照）を励磁してワイヤー４３を引き込むと、ラッチレバー３７が付勢スプリング４１の引張力に抗して反時計回りに回動する。そうすると、ロックピン３３と嵌合溝３７ｂとの嵌合状態が解除され、ロックピン３３の上昇が許容される。そして、引張コイルスプリング３１の復元力によってアーム１９が上方に回動し、カバー９が自動的に上昇して洗浄機本体の洗浄室１１が開放される。上昇したカバー９が最上位置に到達したところで、図示しないストッパ機構によってカバー９が停止する。この洗浄室の開放処理は、例えば、洗浄処理が終了したときに、ソレノイド４７がコントロールボックス（図示省略）からの駆動信号を受けて駆動することで、自動的に行われてもよい。
【００２２】
ここで、最下位置で停止しているカバー９の上昇を開始させる際には、カバー９の上昇継続中に比べて更に大きい力が必要である。従って、本来であれば、最下位置からのカバー９の上昇を自動的に開始させるためには、引張コイルスプリング３１の荷重設定をある程度大きくする必要がある。ところが、カバー９の上昇継続中にもスプリング３１の引張力がカバー９に作用するので、スプリング３１の荷重設定によっては、カバー９の上昇スピードが速くなる。そうすると、例えば、カバー９が最上位置に到達したときのストッパ機構との衝突が激しくなり、騒音や振動の原因となってしまう。すなわち、カバー９の自動的な上昇開始を可能とするスプリング３１の荷重設定をすれば、カバー９の上昇スピードが速くなる傾向にあり、騒音や振動が発生しやすい。
【００２３】
そこでこの対策として、ラッチレバー３７には、図４中に網かけで示す跳上部３７ｈが形成されている。跳上部３７ｈは、嵌合溝３７ｂの下方かつ回動軸３９の上方において、嵌合溝３７ｂの底３７ｃから離れる方向（図４の右方向）に略水平に延びて形成されている。跳上部３７ｈは、長方形をなし回動軸３９よりも右側に張り出している。また、跳上部３７ｈの上縁面３７ｊは、嵌合溝３７ｂの下側の内壁面３７ｄに連続する略水平面とされている。上縁面３７ｊは、回動軸３９よりも右側に張り出しており、嵌合溝３７ｂの上側の内壁面３７ｅに比べても更に右側に張り出している。
【００２４】
以上の構成に基づき、図５（ａ），（ｂ）に示すように、ロックピン３３を開放するためにラッチレバー３７が回動すると、跳上部３７ｈの上縁面３７ｊがロックピン３３の下部に接触し、回転が進むに従ってロックピン３３を上方に押し上げることになる。このように、ラッチレバー３７の回動時において、跳上部３７ｈが、停止していたロックピン３３を距離ｄ１分だけ上方に跳ね上げるので、カバー９の上昇力が跳上部３７ｈによって補われることになる。よって、引張コイルスプリング３１の荷重設定を小さく抑えたとしても、停止状態からのカバー９の上昇開始が可能になる。
【００２５】
従って、引張コイルスプリング３１の荷重設定を小さく抑えることができ、カバー９の上昇スピードを抑えることができる。その結果、洗浄室１１を開放する際における騒音や振動を十分抑えることができる。また、引張コイルスプリング３１の荷重設定が小さくなれば、洗浄室１１を閉める際に、取手５１の引き下げに要する力が小さくなるので、ユーザの操作負担を軽減することができる。また、跳上部３７ｈは、ラッチレバー３７の嵌合溝３７ｂの下方に一体で設けたので、部品点数を増加させることなく、コスト低減の要請に反することもない。
【００２６】
また、上記ラッチレバー３７に代えて、図６に示すラッチレバー３８を採用してもよい。図６に示すように、ラッチレバー３８は、跳上部の形状のみがラッチレバー３７と異なっており、ラッチレバー３７とそのまま置換して電磁ロック装置３５（図３及び図４参照）に取り付けることができる。なおラッチレバー３８において、ラッチレバー３７と同一又は同等の構成要素については、図面中に同一の符号を付して重複する説明を省略する。
【００２７】
図６に示すように、ラッチレバー３８の跳上部３８ｈにおいて、跳上部３８ｈの上縁面３８ｊは、嵌合溝３７ｂの下側の内壁面３７ｄから連続して形成されており、嵌合溝３７ｂの底３７ｃから離れるほど（図６の右にいくほど）高くなるように傾斜している。換言すれば、跳上部３８ｈの上縁面３８ｊは、嵌合溝３７ｂの上側の内壁面３７ｅの位置をはみ出して右側に行くほど高くなるように傾斜している。
【００２８】
跳上部３８ｈの上縁面３８ｊを上記のように傾斜させることにより、ラッチレバー３８の回動に伴うロックピン３３の跳ね上げ量が大きくなり、カバー９の上昇力を大きく補うことができる。すなわち、図７と図５とを比較して判るとおり、ラッチレバー３８の回動に伴うロックピン３３の跳ね上げ量ｄ２は、ラッチレバー３７の回動に伴うロックピン３３の跳ね上げ量ｄ１よりも明らかに大きくなる。よって、ラッチレバー３８の採用により、引張コイルスプリング３１の荷重設定を更に小さくすることができる。そして、カバー９の上昇スピードを更に抑えることができ、その結果、洗浄室１１を開放する際における騒音や振動を更に抑えることができる。
【００２９】
また、上記の電磁ロック装置３５には、図８に示すようなプッシュソレノイド５３を設けてもよい。ソレノイド５３は、プランジャ５３ａを鉛直方向に進退させる構成を有しており、プランジャ５３ａがロックピン３３の直下に位置するようにソレノイド５３が配置される。ソレノイド５３が励磁されたときには、プランジャ５３ａが上方に移動することで、プランジャ５３ａの先端がロックピン３３を押し上げる。従って、洗浄室１１を開放する際には、ラッチレバーの回動の直後にソレノイド５３を励磁させるようにすれば、前述の跳上部３７ｈ，３８ｈと同様の作用効果を得ることができる。なお、この場合、ラッチレバーが前述の跳上部３７ｈ，３８ｈを有することは必須ではない。このように、ロックピン３３を跳ね上げる手段を、プッシュソレノイドのプランジャで構成してもよい。
【００３０】
更に、食器洗浄機１は、カバー９の上昇中に制動を加えるべく、制動機構を備えている。以下、食器洗浄機１が備える制動機構について詳細に説明する。
【００３１】
図２及び図９に示されるように、カバー９の背面側の上縁には、後方に突出された取付板６１が設けられており、取付板６１には、案内板７の背面側において垂下した可動ロッド６３の上端が固着されている。取付板６１の下方には、案内板７の背面側に取り付けられた制動装置６５が存在しており、可動ロッド６３は制動装置６５を通過して延びている。
【００３２】
図１０及び図１１に示すように、制動装置６５は、可動ロッド６３と交差するように配設されたレバー６７を有し、レバー６７の一端側は、可動ロッド６３に近接した位置に設けられた軸６９により回動自由に支持されている。この軸６９上には、可動ロッド６３が嵌合する円弧形溝を切った含油性樹脂製の溝付きローラ７１ａが支持されている。また、可動ロッド６３を挟んで上記のローラ７１ａと反対側の位置には、同じく含油性樹脂製の溝付きローラ７１ｂが、レバー６７に設けられている。ローラ７１ｂは、上記のローラ７１ａから上方に芯ずれした位置において軸７３により支持されている。
【００３３】
レバー６７の他端側と、その上方において突設されたスプリング取付部７５の間には、引張コイルスプリング７７が装着されている。スプリング７７の引張力によりレバー６７に軸６９を中心とした反時計回りの回動力が付勢されて、芯ずれした溝付きローラ７１ａ，７１ｂが可動ロッド６３を抱き込むようになっている。
【００３４】
カバー９が上昇すると、一体的に可動ロッド６３が引き上げられる。その可動ロッド６３の上昇に伴い、上側の溝付きローラ７１ｂには、レバー６７を反時計回りに回動させつつ可動ロッド６３に食い込む方向の力が作用する。そうすると、両ローラ７１ａ，７１ｂが可動ロッド６３を強く抱き込み、ローラ７１ａ，７１ｂと可動ロッド６３との間の抵抗によって、カバー９の上昇に制動が加えられる。一方、カバー９を下降させる場合は、可動ロッド６３の下降に伴い上側のローラ７１ｂを押し下げてレバー６７を時計回り方向に回動させる力が作用し、それにより両ローラ７１ａ，７１ｂ間が開くので、ローラ７１ａ，７１ｂと可動ロッド６３との間の抵抗は小さくなる。従って、大きい抵抗を受けることなくカバー９の下降動作が行われる。
【００３５】
ここで、前述したように、最下位置で停止しているカバー９の上昇を開始させるには、カバー９の上昇継続中に比べて大きい力を必要とする。従って、カバー９の上昇開始時には、カバー９の動き始めを妨げないように、上記制動機構の作用は可能な限り小さいことが好ましい。一方、カバー９の上昇継続中には、カバー９の上昇スピードを減速すべく、上記制動機構が上述のとおり作用することが好ましい。
【００３６】
そこで、図１２に示すように、断面円形の可動ロッド６３は、カバー９上昇の前半期に制動装置６５を通過する小径部６３ａと、カバー９上昇の後半期に制動装置６５を通過する大径部６３ｃと、小径部６３ａと大径部６３ｃとを接続するテーパ部６３ｂと、を備えている。小径部６３ａは、ローラ７１ａ，７１ｂに接触しない程度に径が小さくされている。大径部６３ｃは、ローラ７１ａ，７１ｂの間に抱き込まれ抵抗が発生する程度に径が大きくされている。カバー９が最下位置にあるとき（洗浄室１１が閉じているとき）には、図９（ａ）に示されるように、小径部６３ａの上部が制動装置６５の位置にある。また、カバー９が最上位置にあるとき（洗浄室１１が完全に開いているとき）には、図９（ｂ）に示されるように、大径部６３ｃの下部が制動装置６５の位置にある。
【００３７】
また、テーパ部６３ｂは、小径部６３ａから大径部６３ｃへ、径を連続的に変化させるように形成されたものであり、円錐面を有している。なお、小径部６３ａに、ローラ７１ａ，７１ｂを接触させないような調整は、スプリング７７のバネの強さや取付位置を調整することにより可能である。
【００３８】
この構成によれば、カバー９の上昇開始時を含む上昇の前半期には、可動ロッド６３とローラ７１ａ，７１ｂとの間の抵抗はなく、前述の跳上部３７ｈ，３８ｈの作用でカバー９の上昇が自動的に開始され、引張コイルスプリング３１の引張力によってカバー９が円滑に上昇する。従って、引張コイルスプリング３１の荷重設定を過剰に大きくする必要がない。そして、カバー９が最上位置に近づく上昇の後半期には、可動ロッド６３とローラ７１ａ，７１ｂとの間の抵抗によりカバー９の上昇スピードが抑えられ、その結果、カバー９が最上位置に到達した際の騒音や振動を抑えることができる。
【００３９】
また、上記可動ロッド６３に代えて、図１３に示す可動ロッド６４を採用してもよい。可動ロッド６４は、可動ロッド６３とそのまま置換して取付板６１に取り付けることができる。可動ロッド６４は、カバー９上昇の前半期に制動装置６５を通過する小径部６４ａと、カバー９上昇の後半期に制動装置６５を通過するテーパ部６４ｂと、を備えている。小径部６４ａは、前述の小径部６３ａと同様の構成を有し、ローラ７１ａ，７１ｂに接触しない程度に径が小さくされている。テーパ部６４ｂは、下方に行くほど徐々に径が大きくなるテーパ形状をなす。
【００４０】
この構成によれば、カバー９が最上位置に近づく上昇の後半期には、可動ロッド６３とローラ７１ａ，７１ｂとの間の抵抗が徐々に大きくなる。従って、カバー９上昇の後半期においてカバー９の上昇スピードが抑えられ、その結果、カバー９が最上位置に到達した際の騒音や振動を抑えることができる。また、カバー９上昇の後半期におけるカバー９の制動効果は、徐々に効いてくるので、制動しながらもカバー９の上昇スピードが必要以上に遅くなることを避けることができる。
【００４１】
以上説明した制動機構によれば、カバー９の上昇時に制動を加えて減速させ得るので、洗浄室１１を開放する際の騒音や振動を抑えることができる。また、引張コイルスプリング３１の荷重設定を小さくすることが可能になり、洗浄室１１を閉める際のユーザの操作負担を軽減することができる。また、制動装置６５は、案内板７の背面側に外付けできる利点を有する。また、制動動作が回転物である２個の溝付きローラ７１ａ，７１ｂの圧接で行われるので、磨耗が少なく、また、構造的には部品点数が少なくて済む。また、一方の溝付きローラ７１ａの軸６９とレバー６７の軸６９が兼用されていることから、小形化が図られる。なお、制動力は、引張コイルスプリング７７のバネの強さを変えたり、その取付位置を変えたりすることで容易に調整することが可能である。
【００４２】
なお、本発明は上述の実施形態に限定されるものではない。例えば実施形態では、引張コイルスプリング３１（図１参照）によってカバー９を上昇させる付勢力を発生させているが、この構成に代えて、特開２００６−５５６２４号公報に開示されるように、圧縮スプリングで上記付勢力を発生させてもよい。特開２００６−５５６２４号公報に開示された食器洗浄機では、カバーの上下動を案内する支柱に上記圧縮スプリングが内蔵されおり、このような構成を採用してもよい。
【符号の説明】
【００４３】
１…食器洗浄機、５…洗浄機本体、９…カバー、１１…洗浄室、３１…スプリング、３３…ロックピン、３７，３８…ラッチレバー、３７ｂ…嵌合溝、３７ｃ…嵌合溝の底、３７ｄ…嵌合溝の下側の内壁面、３７ｈ，３８ｈ…跳上部、３７ｊ，３８ｊ…跳上部の上縁面、３９…回動軸。
【図１】
0005530840.tif 000002
【図２】
0005530840.tif 000003
【図３】
0005530840.tif 000004
【図４】
0005530840.tif 000005
【図５】
0005530840.tif 000006
【図６】
0005530840.tif 000007
【図７】
0005530840.tif 000008
【図８】
0005530840.tif 000009
【図９】
0005530840.tif 000010
【図１０】
0005530840.tif 000011
【図１１】
0005530840.tif 000012
【図１２】
0005530840.tif 000013
【図１３】
0005530840.tif 000014